【手続補正書】
【提出日】平成19年3月14日(2007.3.14)
【手続補正１】
【補正対象書類名】明細書
【補正対象項目名】特許請求の範囲
【補正方法】変更
【補正の内容】
【特許請求の範囲】
【請求項１】  一般式Ｉ
【化１】
2002544345.tif 000001
［式中、ｍおよびｊは、ｍ＝０．１〜０．９、ｊ＝１−ｍ、Ｑ＝１０〜５００００であるようなＡおよびＢの平均反復単位数であり；
ＡおよびＢは、それぞれ正孔輸送基および電子輸送基を示し、そのような基はポリマー鎖に沿って統計学的に分布し；
ＸおよびＺは、Ｈ、ＣＮ、Ｆ、Ｃｌ、Ｂｒ、ＣＯ２ＣＨ３から独立して選ばれる。］の統計学的コポリマー。
【請求項２】  電子輸送基の芳香族部分とポリマー骨格との間で直接結合があり、正孔輸送基とポリマー骨格との間に直接結合があるように、電子輸送基および正孔移動基がポリマー骨格に直接結合している請求項１に記載の統計学的コポリマー。
【請求項３】  正孔輸送基が以下の一般式ＩＩ
【化２】
2002544345.tif 000002
［式中、Ａｒ１は、ポリマー骨格に結合し、１，２−フェニレン、１，３−フェニレン、１，４−フェニレン、４，４’―ビフェニレン、１，４−ナフチレンおよび２，６−ナフチレンから選ばれ；ＣおよびＤはＡｒ２構造の群から独立して選ばれ、Ａｒ２はフェニル、ビフェニル、１−ナフチルおよび２−ナフチルから選ばれ、Ａｒ２は、ＯＲ、ＮＲＲ’およびＮ（Ａｒ３）２から独立して選ばれる１つまたは２つの基で任意に置換されてもよく、式中、ＲおよびＲ’はＣ１〜Ｃ６のアルキル基を示し、Ａｒ３は、フェニル、ビフェニル、１−ナフチルおよび２−ナフチルから選ばれ、Ａｒ３は、ＯＲ、Ｎ（Ａｒ３）２、ＮＲＲ’から独立して選ばれる１つまたは２つの基で任意に置換されてもよい。］により示される請求項１または２のいずれか一項に記載の統計学的コポリマー。
【請求項４】  式ＩＩが、
Ｎ，Ｎ−ジフェニル−４−アミノフェニル、
２−（Ｎ，Ｎ−ジフェニル−６−アミノ）ナフチル、
Ｎ，Ｎ−ビス（４−ジメチルアミノフェニル）−４−アミノフェニル、
Ｎ−フェニルＮ−４−メトキシフェニル４−アミノフェニル、
Ｎ−フェニルＮ−４−ジメチルアミノフェニル４−アミノフェニル、
Ｎ−４−メチルフェニルＮ−４−ジメチルアミノフェニル４−アミノフェニル、
Ｎ−フェニルＮ−４−ジフェニルアミノフェニル４−アミノフェニル、
Ｎ，Ｎ−ビス−４−ジフェニルアミノフェニル４−アミノフェニル、
Ｎ−フェニル，Ｎ（４，４’−Ｎ’，Ｎ’−ジフェニルアミノ−ビフェニリル）４−アミノフェニル、
Ｎ−３−メチルフェニルＮ−（４，４’−Ｎ’−フェニル−Ｎ’−３−メチルフェニルアミノビフェニリル）４−アミノフェニル、
Ｎ−１−ナフチル，Ｎ−（４，４’−Ｎ’−フェニル−Ｎ’−１−ナフチルアミノビフェニリル）４−アミノフェニル
の１つにより示される請求項３に記載の統計学的コポリマー。
【請求項５】  電子輸送基が以下の一般式ＩＩＩ
Ｚ１−Ｅ１−［−Ｚ２−Ｅ２−］ｎ−Ｚ３      式ＩＩＩ
［式中、Ｚ１はポリマー骨格に結合し、
Ｅ１およびＥ２は、
【化３】
2002544345.tif 000003
より選ばれ、
式中、Ｆ、ＧおよびＨは、各々の環においてＣＨおよびＮから独立して選ばれ；およびＱは、各々の環においてＳ、Ｏ、ＮＲ”、ＣＨＲ”、ＣＲ”Ｒ”、ＣＨ＝ＣＨ、Ｎ＝Ｎ、Ｎ＝ＣＨおよびＮ＝ＣＲ”から選ばれ、式中、Ｚ１およびＺ２は、単結合または１，２−フェニレン、１，３−フェニレン、１，４−フェニレン、４，４’−ビフェニレン、１，４−ナフチレンおよび２，６−ナフチレンから選ばれるＡｒ４基であり、Ｚ３は、１つまたは２つの位置においてＣ１〜Ｃ６のアルキルで任意に置換されたフェニル基、ナフチル基またはビフェニル基であり、Ｒ”は、Ｃ１〜Ｃ６のアルキル基およびアリール基から選ばれ、ｎ＝０、１または２である。］により示される請求項１または２に記載の統計学的コポリマー。
【請求項６】  アリール基がフェニル基である請求項５に記載の統計学的コポリマー。
【請求項７】  式ＩＩＩのＥ１およびＥ２が、
オキサゾール、
オキサジアゾール、
ベンツオキサゾール、
ベンツチアゾール、
キノキサリン、
チアジアゾール、
１，２，４−トリアジン、
フェニルキノキサリン
から選ばれる請求項５に記載の統計学的コポリマー。
【請求項８】  式ＩＩＩが、
４−（５−フェニル−１，３，４−オキサジアゾリル）フェニル、
４−（５−（ｔ−ブチルフェニル）−１，３，４−オキサジアゾリル）フェニル、
６−（２，３−ジフェニル）キノキサリニル、
６−（２，３−ジナフチル）キノキサリニル、
４−（５−（ｔ−ブチルフェニル）−１，３，４−オキサジアゾリル）ビフェニリル、
から選ばれる請求項５に記載の統計学的コポリマー。
【請求項９】  一般式Ｉ
【化４】
2002544345.tif 000004
［式中、ｍおよびｊは、ｍ＝０．１〜０．９、ｊ＝１−ｍ、Ｑ＝１０〜５００００であるようなＡおよびＢの平均反復単位数であり；
ＸおよびＺは、Ｈ、ＣＮ、Ｆ、Ｃｌ、Ｂｒ、ＣＯ２ＣＨ３から独立して選ばれ、
ＡおよびＢは、それぞれ正孔輸送基および電子輸送基を示し、そのような基は正孔輸送基が以下の一般式ＩＩにより示されるポリマー鎖に沿って統計学的に分布し：
【化５】
2002544345.tif 000005
式中、Ａｒ１は、ポリマー骨格に結合し、１，２−フェニレン、１，３−フェニレン、１，４−フェニレン、４，４’―ビフェニレン、１，４−ナフチレンおよび２，６−ナフチレンから選ばれ；ＣおよびＤはＡｒ２構造の群から独立して選ばれ、Ａｒ２がフェニル、ビフェニル、１−ナフチルおよび２−ナフチルから選ばれ、Ａｒ２は、ＯＲ、ＮＲＲ’およびＮ（Ａｒ３）２から独立して選ばれる１つまたは２つの基で任意に置換されてもよく、式中、ＲおよびＲ’はＣ１〜Ｃ６のアルキル基を示し、Ａｒ３は、フェニル、ビフェニル、１−ナフチルおよび２−ナフチルから選ばれ、Ａｒ３は、ＯＲ、Ｎ（Ａｒ３）２、ＮＲＲ’から独立して選ばれる１つまたは２つの基で任意に置換されてもよく：
電子輸送基が以下の一般式ＩＩＩにより示され：
Ｚ１−Ｅ１−［−Ｚ２−Ｅ２−］ｎ−Ｚ３      式ＩＩＩ
式中、Ｚ１はポリマー骨格に結合し、
Ｅ１およびＥ２は、
【化６】
2002544345.tif 000006
より選ばれ、
式中、Ｆ、ＧおよびＨは、各々の環においてＣＨおよびＮから独立して選ばれ；Ｑは、各々の環においてＳ、Ｏ、ＮＲ”、ＣＨＲ”、ＣＲ”Ｒ”、ＣＨ＝ＣＨ、Ｎ＝Ｎ、Ｎ＝ＣＨおよびＮ＝ＣＲ”から選ばれ、式中Ｚ１およびＺ２は、単結合または１，２−フェニレン、１，３−フェニレン、１，４−フェニレン、４，４’−ビフェニレン、１，４−ナフチレンおよび２，６−ナフチレンから選ばれるＡｒ４基であり、Ｚ３は、１つまたは２つの位置において任意にＣ１〜Ｃ６のアルキルで置換されたフェニル基、ナフチル基またはビフェニル基であり、Ｒ”は、Ｃ１〜Ｃ６のアルキル基およびアリール基から選ばれ、ｎ＝０、１または２である。］の統計学的コポリマー。
【請求項１０】  正孔輸送基および電子輸送基がポリマー鎖に沿って統計学的に分布し、統計学的コポリマーの重合度が１０〜５００００となるように、一般式ＩＩ
【化７】
2002544345.tif 000007
［式中、Ａｒ１は、ポリマー骨格に結合し、１，２−フェニレン、１，３−フェニレン、１，４−フェニレン、４，４’―ビフェニレン、１，４−ナフチレンおよび２，６−ナフチレンから選ばれ；ＣおよびＤはＡｒ２構造の群から独立して選ばれ、Ａｒ２はフェニル、ビフェニル、１−ナフチルおよび２−ナフチルから選ばれ、およびＡｒ２は、ＯＲ、ＮＲＲ’およびＮ（Ａｒ３）２から独立して選ばれる１つまたは２つの基で任意に置換されてもよく、式中ＲおよびＲ’はＣ１〜Ｃ６のアルキル基を示し、Ａｒ３は、フェニル、ビフェニル、１−ナフチルおよび２−ナフチルから選ばれ、およびＡｒ３は、ＯＲ、Ｎ（Ａｒ３）２、ＮＲＲ’から独立して選ばれる１つまたは２つの基で任意に置換されてもよい。］の正孔輸送基、および
一般式ＩＩＩ
Ｚ１−Ｅ１−［−Ｚ２−Ｅ２−］ｎ−Ｚ３      式ＩＩＩ
［式中、Ｚ１はポリマー骨格に結合し、
Ｅ１およびＥ２は、
【化８】
2002544345.tif 000008
より選ばれ、
式中、Ｆ、ＧおよびＨは、各々の環においてＣＨおよびＮから独立して選ばれ；およびＱは、各々の環においてＳ、Ｏ、ＮＲ”、ＣＨＲ”、ＣＲ”Ｒ”、ＣＨ＝ＣＨ、Ｎ＝Ｎ、Ｎ＝ＣＨおよびＮ＝ＣＲ”から選ばれ、式中Ｚ１およびＺ２は、単結合または１，２−フェニレン、１，３−フェニレン、１，４−フェニレン、４，４’−ビフェニレン、１，４−ナフチレンおよび２，６−ナフチレンから選ばれるＡｒ４基であり、Ｚ３は、１つまたは２つの位置において任意にＣ１〜Ｃ６のアルキルで置換されたフェニル基、ナフチル基またはビフェニル基であり、Ｒ”は、Ｃ１〜Ｃ６のアルキル基およびアリール基から選ばれ、ｎ＝０、１または２である。］の電子輸送基、の重合化により得ることができる統計学的コポリマー。
【請求項１１】  有機層が、請求項１から１０のいずれか一項により示される統計学的コポリマーを含んで成り、電極構造間にはさまれた該有機層を支える基板を含んで成る有機半導体装置。
【請求項１２】  有機層が、さらに発光体を含んで成る請求項１１に記載の装置。
【請求項１３】  発光体が、
０．６以上の光励起性発光の量子効率を有するクマリン型の発光染料、
二フッ化ホウ素／ピロメテン染料、
コロネン、ルブレン、ジフェニルアントラセン、デカシクレン、フルオレン、ペリレンなどの発光縮合化芳香族炭化水素、
ユウロピウムキレート、サマリウムキレート、テルビウムキレート、ルテニウムキレートなどの金属発光キレート
のいずれか１つにより提供される請求項１２に記載の装置。
【請求項１４】  電極の少なくとも１つが、有機層の発光波長の光を透過させ、他の電極が、Ｓｍ、Ｍｇ、Ｌｉ、Ａｇ、Ｃａ、ＡｌまたはＭｇＡｇ、ＬｉＡｌなどの金属合金またはＬｉおよびＡｌまたはインジウム酸化スズ（ＩＴＯ）などの二重金属層を含む金属である請求項１１、１２、１３のいずれか一項に記載の装置。
【請求項１５】  有機層が、請求項１から１０のいずれか１項に記載の統計学的コポリマーを含んで成り、電極構造体間にはさまれた該有機層を支える基板を含んで成る光屈折装置。